(57)【要約】      （修正有）【課題】刃の切れ味が悪くなって切断対象が切断しにくくなった場合でも鋏の刃が切断対象の上を滑りにくい鋏を提供する。【解決手段】第１刃１１および第２刃１２ｂ有した剪定鋏１０において、第２刃１２ｂの刃尻から刃先までの間が湾曲しており、この湾曲に沿ってこぎり刃１２ｂｄ，・・・を形成する。【選択図】図２
0003149567.tif 000002
【実用新案登録請求の範囲】
【請求項１】
先端側に上刃部が形成され後端側に把持部が形成された第１刃材と、先端側に下刃部が形成され後端側に把持部が形成された第２刃材とが支持軸により互いに回転自在に支持された鋏において、
前記下刃部の刃尻から刃先までの間が湾曲しており、この湾曲に沿ってこぎり刃が形成されていることを特徴とする鋏。
【請求項２】
前記第１，２刃材の先端側に取付基部をそれぞれ設け、
前記上刃部および下刃部として上刃および下刃を前記第１，２刃材の取付基部に着脱自在に取り付けたことを特徴とする請求項１に記載の鋏。 
【考案の詳細な説明】
【技術分野】
【０００１】
本考案は、例えば植物の茎や枝を剪定する剪定鋏等の鋏に関する。
【背景技術】
【０００２】
従来から茎や枝などを剪定するための剪定鋏１が知られている（特許文献１）。この剪定鋏１は、図６に示すように、刃部２ａおよび柄部５を有する刃体２と、刃部３ａおよび柄部６を有する刃体３と、支持軸４等とを備えている。この刃体２，３にはそれぞれ軸孔が形成され、この軸孔に支持軸４が貫装され両者は互いに回動可能に取り付けられている。
【先行技術文献】
【特許文献】
【０００３】
【特許文献１】特開２００５−１３０８４６
【考案の概要】
【考案が解決しようとする課題】
【０００４】
しかしながら、このような剪定鋏１にあっては、刃部２ａ，３ａの刃の切れ味が悪くなって切断対象を切断しにくくなった場合、切断対象を切断するために剪定鋏１に力を加えたとき、うまく切断できずに刃部２ａ，３ａの刃が切断対象の表面を相対的に滑ってしまう問題があった。
【０００５】
本考案は、上記問題に鑑みてなされたもので、刃部の刃の切れ味が悪くなった場合でもその刃が切断対象の表面上を滑ってしまうことのない鋏を提供することを目的とする。
【考案の開示】
【課題を解決するための手段】
【０００６】
上記目的を達成する為に、本考案は、先端側に上刃を有し後端側に把持部が形成された第１の刃材と、先端側に下刃を有し後端側に把持部が形成された第２の刃材とが支持軸により互いに回転自在に支持された鋏において、
前記下刃の刃尻から刃先までの間が湾曲し、この湾曲に沿ってこぎり刃が形成されていることを特徴とする。
【考案の効果】
【０００７】
本考案に係る鋏は、第２刃材に装着される下刃の刃尻から刃先までの間が湾曲し、この湾曲に沿ってこぎり刃が形成されているため、例えば、刃の切れ味が悪くなった場合でも、切断対象を切断する際に、こぎり刃の先端が切断対象に喰い込むため、刃が切断対象表面を相対的に滑ってしまうことが防止される。
また、この下刃は、第２刃材の取付基部に着脱自在に取り付けられているので、切断対象の種類に合わせて下刃を交換することができる。
【図面の簡単な説明】
【０００８】
【図１】本考案の実施例に係る剪定鋏１０の閉じた状態を示す正面図である。
【図２】本考案の実施例に係る剪定鋏１０の開いた状態を示す正面図である。
【図３】図１および図２に示す剪定鋏１０の第１刃材１１を示す（ａ）平面図、（ｂ）正面図である。
【図４】図１および図２に示す剪定鋏１０の第２刃材１２を示す（ａ）平面図、（ｂ）正面図である。
【図５】図１および図２に示す剪定鋏１０の（ａ）第１刃１１ｂを示す正面図（ｂ）第２刃１２ｂを示す正面図（ｃ）第２刃材１２と第１刃材１１を連結するための支軸１４および座金ｚｋを示す平面図である。
【図６】従来の剪定鋏を示す正面図である。
【考案を実施するための形態】
【０００９】
以下、図面に基づき本考案の実施の形態について説明する。
【００１０】
図１および図２に示すように、本考案に係る鋏の一種である剪定鋏１０は、植物の茎や枝を剪定する剪定鋏であって、第２刃材１２と、第１刃材１１と、支軸１４等とを有している。１６は、第２刃材１２と第１刃材１１とを開く方向（鋏を開く方向）に付勢する開閉バネである。開閉バネにはスプリングバネや板バネを用いることができる。
＜第１刃材１１＞
第１刃材１１は、例えばステンレス製であり、図３に示すように、第１刃材１１の一端側（図３において左側）には、第１刃（上刃）１１ｂを取り付けるための平坦な取付基部１１ａが形成されている。この取付基部１１ａにはネジ孔１１ｄ，１１ｄが併設されている。
第１刃材１１は、ステンレス製に限らず、鋼材、鉄製、材質に関係なく高価な刃物材、焼入れの効く鋼材でもよい。
【００１１】
また、第１刃材１１の他端側（図３において右側）には鋏使用者が鋏を把持するための把持部１１ｃが形成されている。
この把持部１１ｃの側面には把持部１１ｃに沿って等間隔で凹部１１ｃｂ，・・・が形成されており、この凹部１１ｃｂと凹部１１ｃｂとの間は凸部１１ｃａとなっている。この凹部１１ｃｂと凸部１１ｃａにより鋏使用者が鋏を把持した際に滑りにくいものとなっている。
第１刃材１１の取付基部１１aと把持部１１ｃとの間の中央部分には支軸１４（図５（ｃ）参照）を通すための軸孔１１ｅが形成されている。
【００１２】
第１刃材１１において、この軸孔１１ｅより先端側の部分は、剪定鋏１０の閉じる方向が凸となるように湾曲している。
＜第２刃材１２＞
第２刃材１２は、第１刃材１１と同じ材質で例えばステンレス製であり、図４に示すように、第２刃材１２の一端側（図４において左側）には、第２刃（下刃）１２ｂを取り付けるための平坦な取付基部１２ａが形成されている。この取付基部１２ａにはネジ孔１２ｄ，１２ｄが併設されている。
第２刃材１２は、ステンレス製に限らず、鋼材、鉄製、材質に関係なく高価な刃物材、焼入れの効く鋼材でもよい。
【００１３】
また、第２刃材１２の他端側（図４において右側）には鋏使用者が鋏を把持するための把持部１２ｃが形成されている。
この把持部１２ｃの側面には把持部１２ｃに沿って等間隔で凹部１２ｃｂ，・・・が形成されており、この凹部１２ｃｂと凹部１２ｃｂとの間は凸部１２ｃａとなっている。この凹部１２ｃｂと凸部１２ｃａにより鋏使用者が鋏を把持した際に滑りにくいものとなっている。
また、第２刃材１２の取付基部１２aと把持部１２ｃとの間の中央部分には支軸１４を通すための軸孔１２ｅが形成されている。
第２刃材１２において、この軸孔１２ｅより先端側の部分は、剪定鋏１０の開く方向が凸となるように湾曲している。
この第１刃材１１と第２刃材１２のそれぞれの軸孔１１ｅ，１２ｅには支軸１４（図５（ｃ）参照）が貫装され、第１刃材１１と第２刃材１２は互いに回動可能に取り付けられている。
＜第１刃１１ｂ＞  
第１刃１１ｂには、図５（ａ）に示すように、ネジ孔１１ｂａ，１１ｂａが併設されている。また、第１刃１１ｂは、その刃尻１１ｂｂから刃先１１ｂｃまでの間が剪定鋏１０の閉じる方向に凸となるように湾曲している。この第１刃１１ｂは、図３（ｂ）の２点鎖線で示すように、ネジに拠り第１刃材１１の取付基部１１ａに取り付けられている。  
＜第２刃１２ｂ＞
第２刃１２ｂには、図５（ｂ）に示すように、ネジ孔１２ｂａ，１２ｂａが併設されている。また、第２刃１２ｂの刃尻１２ｂｂから刃先１２ｂｃまでの間が湾曲しており、この湾曲に沿ってこぎり刃１２ｂｄ，・・・が形成されている。
この第２刃１２ｂは、図４（ｂ）の２点鎖線で示すように、ネジに拠り第２刃材１２の取付基部１２ａに取り付けられている。  
【００１４】
本考案の実施例に係る剪定鋏１０の作用・効果を説明する。
【００１５】
第２刃材１２に取り付ける第２刃１２ｂにこぎり刃１２ｂｄ，・・・を設けたことに拠り、第１刃１１ｂおよび第２刃１２ｂの切れ味が悪く、剪定する際に木枝や茎などの切断対象を切断しくい場合でも切断対象の表面にこぎり刃１２ｂｄが食い込むため、第１刃１１ｂと第２刃１２ｂが切断対象である茎や枝の表面を滑ることが防止される。このため、第１刃１１ｂおよび第２刃１２ｂの切れ味が悪くなっても、切断対象を滑らず挟持してより確実に切断することができる。
また、第１刃１１ｂと第２刃１２ｂをそれぞれ第１刃材１１と第２刃材１２の各取付基部１１ａ，１２ａに例えばネジにより着脱自在に取り付けたため、古くなった第１刃１１ｂと第２刃１２ｂを新しいものに交換できる。
また、このように交換することができるので、第１刃１１ｂと第２刃１２ｂ以外については同じものを使用し続けることができ、また、第１刃１１ｂと第２刃１２ｂについては時代の開発に応じた材質のものを用いることができる。
第１刃材１１と第２刃材１２の各把持部１１ｃ，１２ｃに凹部１１ｃｂ，１２ｃｂを設けたので、鋏使用者が鋏を握りやすくなり、滑ることがない。
上述した第１刃材１１の軸孔１１ｅより先端側および第１刃１１ｂは、剪定鋏１０の閉じる方向に凸となるように湾曲しているが、これに限らず、直線状または剪定鋏１０の開く方向に凸となるように湾曲していても良い。このようにすることで、切断対象を切断するとき、切断対象が第２刃材１２の第２刃１２ｂと第１刃材１１の第１刃１１ｂとに挟持されやすいものとなり、第２刃材１２のこぎり刃１２ｂｄが切断対象に食い込みやすくなる。
本実施例では第１刃１１ｂと第２刃１２ｂを第１刃材１１と第２刃材１２の各取付基部１１ａ，１２ａに着脱自在に取り付けたが、これに限らず第１刃１１ｂと第２刃１２ｂを上刃部と下刃部として第１刃材１１と第２刃材１２に一体に設けてもよい。
【産業上の利用可能性】
【００１６】
剪定鋏に本考案を適用したが、剪定鋏に限らず、金きり鋏などの他の種類の鋏にも適用できる。
【符号の説明】
【００１７】
１０          剪定鋏（鋏）
１１ｂ        第１刃（上刃、上刃部）
１２ｂ        第２刃（下刃、下刃部）
１２ｂｂ      刃尻
１２ｂｃ      刃先
１２ｂｄ      こぎり刃
【図１】
0003149567.tif 000003
【図２】
0003149567.tif 000004
【図３】
0003149567.tif 000005
【図４】
0003149567.tif 000006
【図５】
0003149567.tif 000007
【図６】
0003149567.tif 000008